(57)【要約】【課題】コンクリート岸壁の補修作業において、設置面に載せる最下段の残存型枠に対して積層していく上層段の残存型枠の姿勢を個々に調整できるようにする。【解決手段】岸壁前面を形成する主壁11と、前記主壁11の左端又は右端に設けた扶壁12とから構成されるコンクリートブロックで、主壁11は、上方への突出量が調整自在な高さ調整ボルト４,４を、左右に離れた位置で上面の２ヶ所に設け、扶壁12は、前記高さ調整ボルト４を、前記主壁11の上面に設けた高さ調整ボルト４を結ぶ直線より後方で上面の１ヶ所に設けてなる残存型枠１である。【選択図】図８
2015169013.tif 000002
【特許請求の範囲】
【請求項１】
岸壁前面を形成する主壁と、前記主壁の左端又は右端に設けた扶壁とから構成されるコンクリートブロックで、
主壁は、上方への突出量が調整自在な高さ調整ボルトを、左右に離れた位置で上面の２ヶ所に設け、
扶壁は、前記高さ調整ボルトを、前記主壁の上面に設けた高さ調整ボルトを結ぶ直線より後方で上面の１ヶ所に設けてなる残存型枠。
【請求項２】
主壁は、左右に延在する凸段差を上面に設け、前記凸段差と転写関係にある凹段差を左右に延在させて下面に設けた請求項１記載の残存型枠。
【請求項３】
主壁又は扶壁は、高さ調整ボルトの最大突出量より長い連結ピンを上面から上方に突出し、前記連結ピンを挿入させる連結穴を下面に設けた請求項１又は２いずれか記載の残存型枠。
【請求項４】
主壁は、上面から上方に突出する設置ガイドを着脱自在に後面に設けた請求項１〜３いずれか記載の残存型枠。
【請求項５】
扶壁は、後方への突出量が調整自在なスライド板を内側面又は外側面に１又は複数設けた請求項１〜４いずれか記載の残存型枠。
【請求項６】
現況岸壁直前の海底に設置面を形成し、コンクリートブロックである残存型枠を前記設置面上に積層し、積層された残存型枠と現況岸壁との間にコンクリートを打設して、前記残存型枠とコンクリートとが一体となったコンクリート岸壁を構築するに際し、
残存型枠は、岸壁前面を形成する主壁と、前記主壁の左端又は右端に設けた扶壁とから構成され、上方への突出量が調整自在な高さ調整ボルトを、主壁の上面の左右に離れた位置の２ヶ所と、扶壁の上面の前記主壁の上面に設けた高さ調整ボルトを結ぶ直線より後方の位置の１ヶ所とに設けてあり、
扶壁を現況岸壁に向けて積層する残存型枠は、下層段の残存型枠の高さ調整ボルトそれぞれの突出量を加減し、上層段の残存型枠の下面を前記高さ調整ボルトに支持させることにより、下層段の残存型枠に対して上層段の残存型枠の姿勢を調整するコンクリート岸壁の構築方法。
【請求項７】
残存型枠は、左右に延在する凸段差を主壁の上面に設け、前記凸段差と転写関係にある凹段差を左右に延在させて主壁の下面に設けてあり、
上層段の残存型枠の下面に設けた凹段差と、下層段の残存型枠の上面に設けた凸段差とを密着又は両者の隙間を蛇行させて、積層された残存型枠と現況岸壁との間に打設するコンクリートが、下層段の残存型枠と上層段の残存型枠との間から漏れることを防止する請求項６記載のコンクリート岸壁の構築方法。
【請求項８】
残存型枠は、高さ調整ボルトの最大突出量より長い連結ピンを主壁又は扶壁の上面から上方に突出し、前記連結ピンを挿入させる連結穴を主壁又は扶壁の下面に設けてあり、
上層段の残存型枠の下面に設けた連結穴に、下層段の残存型枠の上面に設けた連結ピンを挿入させ、積層された残存型枠の前後及び左右の水平位置を一致させる請求項６又は７いずれか記載のコンクリート岸壁の構築方法。
【請求項９】
残存型枠は、上面から上方に突出する設置ガイドを着脱自在に主壁の後面に設けてあり、
上層段の残存型枠の後面を、下層段の残存型枠の上面から上方に突出させた設置ガイドに宛てがうことにより、前記上層段の残存型枠が前記下層段の残存型枠に対して後方へ逸脱することを防止する請求項６〜８いずれか記載のコンクリート岸壁の構築方法。
【請求項１０】
残存型枠は、後方への突出量が調整自在なスライド板を扶壁の内側面又は外側面に１又は複数設けてあり、
各段の残存型枠の扶壁から現況岸壁に向けてスライド板を突出させることにより、前記扶壁と現況岸壁との隙間を前記スライド板で防ぎ、打設するコンクリートが残存型枠を越えて左右にはみ出さないようにした請求項６〜９いずれか記載のコンクリート岸壁の構築方法。
【発明の詳細な説明】
【技術分野】
【０００１】
本発明は、コンクリート岸壁に用いる残存型枠とこれを用いたコンクリート岸壁の構築方法に関する。
【０００２】
本発明において、例えば４段に積層された残存型枠は、下から順に最下段の残存型枠、下中段の残存型枠、上中段の残存型枠、そして最上段の残存型枠とし、ある残存型枠の上又は下に積層された残存型枠指す場合、上層段の残存型枠又は下層段の残存型枠と呼ぶ。例えば前述のように、残存型枠が４段に積層された場合、最上段の残存型枠に対して下層段の残存型枠は上中段の残存型枠であり、前記上中段の残存型枠は下中段の残存型枠に対して上層段の残存型枠となる。
【背景技術】
【０００３】
港湾等の陸上端を形成するコンクリート岸壁は、金属製の型枠を現況岸壁に対して並べ、前記型枠と現況岸壁（地盤がむき出し又はセメントミルクを吹き付けただけの岸壁）との間にコンクリートを打設した後、前記型枠を回収して構築される。近年、型枠の回収に掛かる工数を低減するため、打設したコンクリートと共にコンクリート岸壁を構成するコンクリート製の残存型枠が使用されることもある（特許文献１）。
【０００４】
特許文献１が開示する岸壁の構築方法は、中空枠状であるコンクリート製の残存型枠（中空ブロック）を予め重ねて結合して積層型枠とし、施工場所に設置した前記積層型枠にコンクリート（水中コンクリート）を打設して、残存型枠を含めた岸壁を構築する（特許文献１・［請求項１］ほか）。特許文献１は、残存型枠の設置に要する時間を短縮し、コンクリート岸壁の構築に要する施工期間を短縮する（特許文献１・［0041］ほか）。
【先行技術文献】
【特許文献】
【０００５】
【特許文献１】特開平11-229411号公報
【発明の概要】
【発明が解決しようとする課題】
【０００６】
コンクリート岸壁は、経年劣化のほか、自然災害等により破損することがある。一部が破損したコンクリート岸壁は、壊れた箇所を除去した後、新たにコンクリートを打設し、補修される。こうした補修作業に際しても型枠が使用されるため、上述同様、回収をしない残存型枠が好まれる。これから、コンクリート岸壁の補修に際して、例えば特許文献1が開示する残存型枠を利用することが考えられる。
【０００７】
コンクリート岸壁を補修する場合、新設の場合と異なり、施工現場の制約が多いため、残存型枠を設置する設置面を水平に整えることが難しい。そうであるにも拘らず、補修作業の場合、残存型枠の前面を、施工計画に沿ったコンクリート岸壁の前面に一致させなければならず、設置面が水平でなければ、積層される残存型枠が上層段になるほど傾きが大きくなるため、残存型枠個々の姿勢を調整する必要性が高い。このため、姿勢について言及のない特許文献１記載の残存型枠をコンクリート岸壁の補修に使用するには、新たに姿勢調整手段を検討しなければならない。
【０００８】
そこで、施工現場の制約が多いため、設置面を水平に整えることが難しいコンクリート岸壁の補修作業において、設置面に載せる最下段の残存型枠に対して積層していく上層
段の残存型枠の姿勢を個々に調整できるように、残存型枠に新たな姿勢調整手段を設けると共に、前記残存型枠の姿勢調整を補助する手段や、前記残存型枠を姿勢調整することにより新たに必要となる手段について、検討した。
【課題を解決するための手段】
【０００９】
検討の結果開発したものが、岸壁前面を形成する主壁と、前記主壁の左端又は右端に設けた扶壁とから構成されるコンクリートブロックで、主壁は、上方への突出量が調整自在な高さ調整ボルトを、左右に離れた位置で上面の２ヶ所に設け、扶壁は、前記高さ調整ボルトを、前記主壁の上面に設けた高さ調整ボルトを結ぶ直線より後方で上面の１ヶ所に設けてなる残存型枠である。本発明において、コンクリート岸壁の海側を前側、陸側を後側として主壁の前面及び後面を定義し、また陸側（後側）に向かって主壁の左右及び上下を定義し、前記主壁の前面に連続する扶壁の側面を外側面、前記主壁の後面に連続する扶壁の側面を内側面とする。
【００１０】
本発明の残存型枠は、例えば平面視コ字状のコンクリートブロックを左右中心で半割し、主壁の左端又は右端から折れ曲がって扶壁が後方に延びる平面視Ｌ字状のコンクリートブロックであり、左端及び右端それぞれに扶壁を有する左右対称な２基を一組として平面視コ字状の単位壁面を構成する。コンクリート岸壁の延在長さに合わせて前記単位壁面を複数並べる場合、隣り合う単位壁面の扶壁を直接接面させたり、目地材を介装して連結させたりする。
【００１１】
下層段の残存型枠の主壁の上面に設けた２ヶ所の高さ調整ボルトと、扶壁の上面に設けた１ヶ所の高さ調整ボルトとは、上層段の残存型枠を三点支持する。上層段の残存型枠は、前記３ヶ所の高さ調整ボルトに囲まれた範囲に重心を有するため、よほど傾斜のきつい姿勢とならない限り、下層段の残存型枠から滑り落ちる虞がない。また、３ヶ所の高さ調整ボルトは、４ヶ所以上に高さ調整ボルトを設けた場合と異なり、必ずすべての高さ調整ボルトが上層段の残存型枠を支持するため、がたつきを抑制又は防止できる。
【００１２】
こうして、本発明の残存型枠を用いれば、現況岸壁直前の海底に設置面を形成し、コンクリートブロックである残存型枠を前記設置面上に積層し、積層された残存型枠と現況岸壁との間にコンクリートを打設して、前記残存型枠とコンクリートとが一体となったコンクリート岸壁を構築するに際し、扶壁を現況岸壁に向けて積層する残存型枠は、下層段の残存型枠の高さ調整ボルトそれぞれの突出量を加減し、上層段の残存型枠の下面を前記高さ調整ボルトに支持させることにより、下層段の残存型枠に対して上層段の残存型枠の姿勢を調整する手順でコンクリート岸壁を構築する。最上段の残存型枠は、更に残存型枠を積層しないため、高さ調整ボルトを省略できるように、前記高さ調整ボルトを着脱自在にするとよい。
【００１３】
本発明の残存型枠は、左右に延在する凸段差を主壁の上面に設け、前記凸段差と転写関係にある凹段差を左右に延在させて前記主壁の下面に設けることにより、上層段の残存型枠の下面に設けた凹段差と、下層段の残存型枠の上面に設けた凸段差とを密着又は両者の隙間を蛇行させて、積層された残存型枠と現況岸壁との間に打設するコンクリートが、下層段の残存型枠と上層段の残存型枠との間から漏れることを防止する。「隙間を蛇行させる」とは、対向する凸段差及び凹段差間に形成される隙間が、縦断面形状において折れ曲っていることを意味する。凸段差及び凹段差は、一方が凸ならば他方が凹であるような転写関係にある部位で、単なる高低差のある平面の境界のほか、前記高低差を前後に有する凸条及び凹溝を含む。最上段の残存型枠は、更に残存型枠を積層しないため、上面の凸段差を省略し、最下段の残存型枠は、下面が設置面に接面するため、前記下面の凹段差を省略して構成できる。
【００１４】
また、本発明の残存型枠は、高さ調整ボルトの最大突出量より長い連結ピンを主壁又は扶壁の上面から上方に突出し、前記連結ピンを挿入させる連結穴を下面に設けることにより、上層段の残存型枠の下面に設けた連結穴に、下層段の残存型枠の上面に設けた連結ピンを挿入させ、積層された残存型枠の前後及び左右の水平位置を一致させ、下層段の残存型枠に対する上層段の残存型枠の位置関係を特定し、上層段の残存型枠が下層段の残存型枠から脱落することを防止する。
【００１５】
連結ピンは、主壁又は扶壁の上面から突出させて前記主壁又は扶壁と一体に構成してもよいし、別体として主壁又は扶壁に着脱自在としてもよい。連結ピン及び連結穴の組み合わせは、高さ調整ボルトによる上層段の残存型枠の姿勢調整を妨げないように、主壁及び扶壁の交点に１組設けることが好ましい。最上段の残存型枠は、更に残存型枠を積層しないため、上面の連結ピンを省略できるように、前記連結ピンは着脱自在にするとよい。また、最下段の残存型枠は、下面が設置面に接面するため、前記下面の連結穴を省略してもよいし、あっても邪魔にならない。
【００１６】
更に、本発明の残存型枠は、上面から上方に突出する設置ガイドを着脱自在に主壁の後面に設け、上層段の残存型枠の後面を、下層段の残存型枠の上面から上方に突出させた設置ガイドに宛てがうことにより、前記上層段の残存型枠が前記下層段の残存型枠に対して後方へ逸脱することを防止する。設置ガイドは、残存するコンクリート岸壁の前面と主壁の前面とを一致させるために後方へ押し込む残存型枠の過度な後方への移動を防止する。連結ピン及び連結穴の組み合わせと併用すれば、下層段の残存型枠に対する上層段の残存型枠の水平位置をより容易に特定できる。設置ガイドは、残存型枠に残して打設するコンクリートに埋め殺してもよいが、基本的には残存型枠の積層を終えれば不要になるため、着脱自在とし、前記積層を終えた後に取り外せるようにするとよい。
【００１７】
そして、本発明の残存型枠は、後方への突出量が調整自在なスライド板を扶壁の内側面又は外側面に１又は複数設け、各段の残存型枠の扶壁から現況岸壁に向けてスライド板を突出させることにより、前記扶壁と現況岸壁との隙間を前記スライド板で防ぎ、打設するコンクリートが残存型枠を越えて左右にはみ出さないようにする。スライド板は、姿勢調整のために現況岸壁との距離が変化する扶壁を補って、設置した残存型枠の扶壁と現況岸壁との隙間を減らす。スライド板は、扶壁の内側面に設けた場合、残存型枠に残して打設するコンクリートに埋め殺すが、扶壁の外側面に設けた場合、残存型枠に残して前記コンクリートに埋め殺してもよいし、取り外して再利用してもよい。
【発明の効果】
【００１８】
本発明の残存型枠を用いることにより、施工現場の制約が多いため、設置面を水平に整えることが難しいコンクリート岸壁の補修作業において、設置面に載せる最下段の残存型枠に対して積層していく上層段の残存型枠の姿勢を個々に、しかもがたつきなく調整できる。積層される残存型枠の下層段に対して上層段の残存型枠の姿勢を調整できることから、例えば３段以上に残存型枠を積層する場合、上中段及び下中段それぞれの姿勢を調整し、全体で必要な調整量を各段に分散させて前各段に必要な調整量を小さくできる。
【００１９】
本発明の残存型枠は、左右に延在する凸段差を主壁の上面に設け、前記凸段差と転写関係にある凹段差を左右に延在させて前記主壁の下面に設けることにより、両者を密着又は接近させて、残存型枠の姿勢を調整して上層段及び下層段の残存型枠の主壁間からコンクリートの漏れ出しが防止される。最下段の残存型枠と設置面との隙間は、漏れ出し防止シートで塞ぎ、コンクリートの漏れ出しを防止するが、本発明を利用すれば、漏れ出し防止シートを最下段の残存型枠に限定しながら、全体のコンクリートの漏れ出しを防止できるようになる。
【００２０】
主壁の上面及び下面に設けた連結ピン及び連結穴の組み合わせや、主壁の後面に設けた設置ガイドは、上層段及び下層段の残存型枠の積層位置関係を容易に特定したり、高さ調整ボルトによる上層段の姿勢調整に際して前記上層段の残存型枠の脱落を防止したりする。特に、連結ピン及び連結穴の組み合わせは上層段の残存型枠が過度に傾いて脱落させない働きを、また設置ガイドは前記上層段の残存型枠が後方に落下しない働きを有する。こうして、連結ピン及び連結穴の組み合わせや設置ガイドは、上層段の残存型枠の姿勢調整に係る作業能率を向上させる効果をもたらす。
【００２１】
そして、扶壁の内側面又は外側面に設けたスライド板は、扶壁と現況岸壁との隙間を前記スライド板で塞ぎ、打設するコンクリートが残存型枠を越えて左右にはみ出さないようにする。これは、無駄なコンクリートを減らす働きのほか、残存型枠及び現況岸壁に囲まれた必要な空間に正しくコンクリートを打設する働きを有する。こうして、スライド板は、残存型枠の姿勢調整により扶壁と現況岸壁との不規則な隙間を塞ぎ、無駄のないコンクリートの利用と必要な範囲への前記コンクリートの打設を実現し、作業能率を向上させる効果をもたらす。
【図面の簡単な説明】
【００２２】
【図１】本発明を適用した中段左側の残存型枠の例を前側から見た斜視図である。
【図２】本例の中段左側の残存型枠を後側から見た斜視図である。
【図３】本例の中段右側の残存型枠を前側から見た斜視図である。
【図４】本発明を応用した最上段左側の残存型枠の例を前側から見た斜視図である。
【図５】本例の最上段左側の残存型枠を後側から見た斜視図である。
【図６】本発明を応用した最下段左側の残存型枠の例を前側から見た斜視図である。
【図７】本例の最下段左側の残存型枠を後側から見た斜視図である。
【図８】本例の残存型枠を積み重ねていく施工途中の状態を後側から見た斜視図である。
【図９】本例の残存型枠を積み重ねた状態を前側から見た斜視図である。
【図１０】設置ガイドを後側から見た斜視図である。
【図１１】スライド板を内側から見た斜視図である。
【図１２】左右方向の姿勢を調整している状態にある中段左側の残存型枠を後側からみた背面図である。
【図１３】前後方向の姿勢を調整している状態にある中段左側の残存型枠を後側からみた右側面図である。
【図１４】高さ調整ボルトを引っ込めた状態を表す部分拡大断面図である。
【図１５】高さ調整ボルトを突出させ、最上段の残存型枠の下面にボルト頭を当接させた状態を表す部分拡大断面図である。
【図１６】積み重ねた残存型枠と現況岸壁とを配筋で繋いだ施工状態を表す右側面図である。
【図１７】積み重ねた残存型枠と現況岸壁とを配筋で繋いだ施工状態を表す平面図である。
【図１８】コンクリートを打設し、天端工部を載せて完成させたコンクリート岸壁を表す右側面図である。
【発明を実施するための形態】
【００２３】
以下、本発明を実施するための形態について図を参照しながら説明する。本発明は、図１〜図３に見られるように、最下段及び最上段の残存型枠２,３に挟まれる中段（上中段及び下中段）の残存型枠１に適用される。しかし、図４及び図５に見られるように、最上段の残存型枠２は、下層段にある上中段の残存型枠１に対応して、凹条段差212に設ける部分に本発明が適用され、また図６及び図８に見られるように、最下段の残存型枠３は、上層段にある下中段の残存型枠１に対応して、高さ調整ボルト４や連結ピン321を設ける部分に本発明が適用される。
【００２４】
本例の残存型枠１,２,３は、長尺な主壁11,21,31の左端（図１、図２、図４〜図７参照）又は右端（図３参照）から短尺な扶壁12,22,32が直交して延びる平面視形状がＬ字状のコンクリートブロックで、左右対称の左側（図１、図２、図４〜図７参照）及び右側（図３参照）を一組として、現況岸壁７（後掲図16参照）に被さる平面視コ字状の単位壁面Ｃ（後掲図8参照）を構成する。左右方向に延長する場合、単位壁面Ｃの隣り合う残存型枠１,２,３の扶壁11,21,31の外側面同士を対向させ、両外側面の間に目地材78を介装することにより、単位壁面Ｃ,Ｃ間の水密性を実現する。扶壁11,21,31は、奥行きが十分にあるため、前記目地材の介装による水密性は、必要十分である。
【００２５】
中段の残存型枠１（図１〜図３）は、主壁11の上面前側に寄って前記主壁11の延在方向に延びる凸段差111を設け、主壁11の下面前側に寄って、前記凸段差111と転写関係で、かつ前記凸段差111と平行に延びる凹段差112を設けている。これにより、中段の残存型枠１を上下に積層する際、上中段の残存型枠１の凹段差112を下中段の残存型枠１の凸段差111に密着又は両者の隙間を蛇行させ、打設するコンクリート74（後掲図18参照）の漏れ出しを防止すると共に、凸段差111に凹段差112が後方から掛合して、下中段の残存型枠１に対して上中段の残存型枠１が前方に逸脱することを防止する。
【００２６】
主壁11は、扶壁12を延ばす左端（図１及び図２）又は右端（図３）より少し離れた上面と、左右中間より少し右端（図１及び図２）又は左端（図３）に寄った上面とに、高さ調整ボルト用インサート114,114を埋め込んでいる。高さ調整ボルト４は、前記高さ調整ボルト用インサート114,114それぞれに捩じ込み、主壁11の上面からの突出量を加減する。主壁11の上面から突出する左右一対の高さ調整ボルト４,４は、両者の突出量の違いにより、上中段の残存型枠１の左右方向の傾きを調整する。
【００２７】
本例の主壁11は、上下２段にそれぞれ５基ずつ左右方向等間隔に並べたジベル筋115を後面に設け、上段に並ぶ前記ジベル筋115の列と上面との間の後面に、左右一対の設置ガイド固定ボルト用インサート113,113と、前記設置ガイド固定ボルト用インサート113,113に挟まれた左右一対の吊り金具用インサート116,116とを設けている。
【００２８】
ジベル筋115は、平面視U字状に曲げた鉄筋で、現況岸壁７から突出させたアンカー72（図16参照）に直接又は連結筋73を介して接続し、設置を終えた残存型枠１の姿勢を保持させる。ジベル筋115の数及び配置は、自由であり、本発明に必須な構成要素ではない。また、ジベル筋115を設ける場合、本例のように平面視U字状に限られるものではなく、自由に設定してよい。
【００２９】
設置ガイド固定ボルト用インサート113は、主壁11の後面に向かって右及び右から２番目のジベル筋115,115の間に、吊り金具用インサート116と共に等間隔に１基、同じく主壁11の後面に向かって左及び左から２番目のジベル筋115,115の中間に１基設けられる。また、残る吊り金具用インサート116の１基は、同じく主壁11の後面に向かって左から２番目及び３番目のジベル筋115,115の中間に設けられている。
【００３０】
設置ガイド固定ボルト用インサート113の数及び配置は、自由であるが、上中段の残存型枠１の位置ずれを防止する設置ガイド５の働きを鑑みた場合、２基以上とし、取り付けた設置ガイド５,５が同一線上に並ぶように構成することが好ましい。同様に、吊り金具用インサート116も、安定して残存型枠１をクレーンで吊り下げるため、クレーンフック77を引っ掛ける吊り金具76が複数となる（後掲図８参照）ように、２基以上とし、吊り下げ部位が複数となるようにすることが好ましい。
【００３１】
このほか、本例の主壁11は、前面の左右中央に誘発目地117を設けている。また、単位壁面Ｃを構成する左の残存型枠１（図１及び図２）は、右端前側に寄った凸条である左凸縁118を、単位壁面Ｃを構成する左の残存型枠１（図３）は、左端後側に寄った凸条である右凸縁119を、それぞれ設けている。左凸縁118及び右凸縁119は、密着又は接近して前後方向に掛合することにより、凸段差111及び凹段差112の組み合わせ同様、コンクリート74の漏れを防いだり、左右の残存型枠１,１相互が前後方向に位置ずれすることを防止する働きを有する。
【００３２】
扶壁12は、主壁11から最も離れた後端近傍の上面に高さ調整ボルト用インサート124を、前記上面に寄って前後方向中間の内側面に吊り金具用インサート125をそれぞれ埋め込んでいる。高さ調整ボルト４は、前記高さ調整ボルト用インサート124に捩じ込み、扶壁12の上面からの突出量を加減する。扶壁12の上面から突出する高さ調整ボルト４は、主壁11の上面から突出する高さ調整ボルト４,４に対する相対的な突出量の違いにより、上層段である上中段の残存型枠１の前後方向の傾きを調整する。吊り金具用インサート125は、主壁11の吊り金具用インサート116と相俟って、吊り下げ部位を増やすため、必要に応じて吊り金具76（後掲図８参照）を取り付ける。
【００３３】
本例の扶壁12は、主壁11と交わる前端の上面（前記主壁11の左端の上面でもある）に連結ピン穴126を設け、円錐台状のピン部分と円柱状の挿入部分とから構成される樹脂部材の連結ピン121の前記挿入部分を前記連結ピン穴126に対して着脱自在に差し込んで上面から前記ピン部分を突出させ、前記連結ピン121の直下にあたる下面に、円錐台状の連結穴122を開口している。上面から突出させる連結ピン121のピン部分と連結穴122とは、転写構造で全く同形状であり、下中段の残存型枠１の上面と上中段の残存型枠１の下面とが完全に接面しない限り、遊嵌関係になり、前記下中段の残存型枠１に対する上中段の残存型枠１の前後方向及び左右方向の位置関係を概略的に決定する働きを有する。
【００３４】
このほか、本例の扶壁12は、内側面後縁に沿って上下方向に４個のスライド板固定ボルト用インサート123を並べて埋め込んでいる。スライド板固定ボルト用インサート123は、それぞれにスライド板固定ボルト62を捩じ込み、前記スライド板固定ボルト62を２個一組として上下２段にスライド板６を取り付ける。スライド板６は、扶壁12の後縁からの突出量を調整することにより、前記扶壁12の後縁と現状岸壁７との隙間を塞ぎ、打設するコンクリート74を左右方向に漏れにくくする。
【００３５】
最上段の残存型枠２（図４及び図５。図示は左側のみ、右側は後掲図８以下参照）は、中段（上中段及び下中段を含む）の残存型枠１と異なり、主壁21の上面に凸段差がない、つまり上面が平坦で、主壁21の下面前側に寄って前記主壁21の延在方向に延びる凹段差112のみを設けている。これにより、最上段の残存型枠２を上中段の残存型枠１に積層する際、最上段の残存型枠２の凹段差212を上中段の残存型枠１の凸段差111と密着又は接近させ、打設するコンクリート74（後掲図18参照）の漏れ出しを防止すると共に、上中段の残存型枠１に対して最上段の残存型枠２が前方に逸脱することを防止する。
【００３６】
本例の主壁21は、上記中段の残存型枠１同様、上下２段にそれぞれ５基ずつ左右方向等間隔に並べたジベル筋215を後面に設け、上段に並ぶジベル筋215の列と上面との間の後面に、左右一対の吊り金具用インサート216,216を設けている。ジベル筋215及び吊り金具用インサート216は、中段の残存型枠１のジベル筋115及び吊り金具用インサート116と同じ仕様及び配置とすることにより、運搬又は設置等に際して最上段の残存型枠２と中段の残存型枠１とを同じように扱えるようにする。
【００３７】
また、本例の主壁21は、上記中段の残存型枠１同様、前面の左右中央に誘発目地117を設けている。そして、単位壁面Ｃを構成する左の残存型枠２（図４及び図５）は、右端前側に寄った凸条である左凸縁218を、単位壁面Ｃを構成する左の残存型枠2（図８等参照）は、左端後側に寄った凸条である右凸縁219を、それぞれ設けている。左凸縁218及び右凸縁219は、密着又は接近して前後方向に掛合することにより、コンクリート74の漏れを防いだり、位置ずれを防止したりするのと同じ働きを実現する。
【００３８】
扶壁22は、上面に寄って前後方向中間の内側面に吊り金具用インサート225を埋め込んであり、主壁21の吊り金具用インサート216と相俟って、吊り下げ部位を増やすため、必要に応じて吊り金具76（後掲図８参照）を前記吊り金具用インサート225に取り付ける。本例の扶壁22は、主壁11と交わる前端の下面（前記主壁21の左端の下面でもある）に、円錐台状の連結穴222を開口している。連結穴222は、下層段にある上中段の残存型枠１から突出する連結ピン121のピン部分と転写構造で全く同形状であり、前記上中段の残存型枠１の上面と最上段の残存型枠２の下面とが完全に接面しない限り、遊嵌関係になり、前記上中段の残存型枠１に対する最上段の残存型枠２の前後方向及び左右方向の位置関係を概略的に決定する働きを有する。
【００３９】
また、本例の扶壁22は、内側面後縁に沿って上下方向に４個のスライド板固定ボルト用インサート223を並べて埋め込んでいる。スライド板固定ボルト用インサート223は、それぞれにスライド板固定ボルト62を捩じ込み、前記スライド板固定ボルト62を２個一組として上下２段にスライド板６を取り付ける。スライド板６は、扶壁22の後縁からの突出量を調整することにより、前記扶壁22の後縁と現状岸壁７との隙間を塞ぎ、打設するコンクリート74を左右方向に漏れにくくする。
【００４０】
最下段の残存型枠３（図６及び図７。図示は左側のみ、右側は後掲図８以下参照）は、中段（上中段及び下中段を含む）の残存型枠１と異なり、主壁21の下面に凹段差がない、つまり下面が平坦で、主壁31の上面前側に寄って前記主壁31の延在方向に延びる凸段差311を設けている。これにより、最下段の残存型枠３に下中段の残存型枠１を積層する際、中段の残存型枠１の凹段差112を最下段の残存型枠３の凸段差311と密着又は接近させ、打設するコンクリート74（後掲図18参照）の漏れ出しを防止すると共に、最下段の残存型枠３に対して下中段の残存型枠１が前方に逸脱することを防止する。
【００４１】
主壁31は、扶壁32を延ばす左端より少し離れた上面と、左右中間より少し右端に寄った上面とに、高さ調整ボルト用インサート314,314を埋め込んでいる。高さ調整ボルト４は、前記高さ調整ボルト用インサート314,314それぞれに捩じ込み、主壁31の上面からの突出量を加減する。主壁31の上面から突出する左右一対の高さ調整ボルト４,４は、両者の突出量の違いにより、上層段として積層する下中段の残存型枠１の左右方向の傾きを調整する。
【００４２】
本例の主壁31は、上記中段の残存型枠１及び最上段の残存型枠２同様、上下２段にそれぞれ５基ずつ左右方向等間隔に並べたジベル筋315を後面に設け、上段に並ぶ前記ジベル筋315の列と上面との間の後面に、左右一対の設置ガイド固定ボルト用インサート313,313と、前記設置ガイド固定ボルト用インサート313,313に挟まれた左右一対の吊り金具用インサート316,316とを設けている。ジベル筋315、設置ガイド固定ボルト用インサート313及び吊り金具用インサート316は、中段の残存型枠１のジベル筋115、設置ガイド固定ボルト用インサート113及び吊り金具用インサート116と同じ仕様及び配置とすることにより、運搬又は設置等に際して最下段の残存型枠３と中段の残存型枠１とを同ように扱えるようにする。
【００４３】
また、本例の主壁31は、上記中段の残存型枠１同様、前面の左右中央に誘発目地317を設けている。そして、単位壁面Ｃを構成する左の残存型枠３（図６及び図７）は、右端前側に寄った凸条である左凸縁318を、単位壁面Ｃを構成する左の残存型枠３（図８等参照）は、左端後側に寄った凸条である右凸縁319を、それぞれ設けている。左凸縁318及び右凸縁319は、密着又は接近して前後方向に掛合することにより、コンクリート74の漏れを防いだり、位置ずれを防止したりするのと同じ働きを実現する。
【００４４】
このほか、本例の主壁31は、下面に添って左右方向等間隔に8個のシート固定ボルト用インサート331を後面に埋め込み、主壁33の後面に向かって漏れ出し防止シート33、シート固定板332を順に重ねてシート固定ボルト333を前記シート固定ボルト用インサート331に捩じ込み、漏れ出し防止シート33を下縁から後方へ延ばすように取り付けることができるようにしている。こうして主壁33の後面とシート固定板332とに挟まれた漏れ出し防止シート33は、後方に延ばして設置面71（後掲図16以下参照）上に展開され、前記設置面71と最下段の残存型枠３の主壁31との隙間からコンクリート74が漏れ出ないようにする。
【００４５】
扶壁32は、主壁31から最も離れた後端近傍の上面に高さ調整ボルト用インサート314を、前記上面に寄って前後方向中間の内側面に吊り金具用インサート325をそれぞれ埋め込んでいる。高さ調整ボルト４は、前記高さ調整ボルト用インサート314に捩じ込み、扶壁32の上面からの突出量を加減する。扶壁32の上面から突出する高さ調整ボルト４は、主壁31の上面から突出する高さ調整ボルト４,４に対する相対的な突出量の違いにより、上層段である下中段の残存型枠１の前後方向の傾きを調整する。吊り金具用インサート325は、主壁31の吊り金具用インサート316と相俟って、吊り下げ部位を増やすため、必要に応じて吊り金具76（後掲図８参照）を取り付ける。
【００４６】
本例の扶壁32は、主壁31と交わる前端の上面（前記主壁31の左端の上面でもある）に連結ピン穴326を設け、円錐台状のピン部分と円柱状の挿入部分とから構成される樹脂部材の連結ピン321の前記挿入部分を前記連結ピン穴326に対して着脱自在に差し込んで上面から前記ピン部分を突出させている。連結ピン221は、上層段にある下中段の残存型枠１に設けられた連結穴122と転写構造で全く同形状であり、最下段の残存型枠３の上面と下中段の残存型枠１の下面とが完全に接面しない限り、遊嵌関係になり、前記最下段の残存型枠３に対する下中段の残存型枠１の前後方向及び左右方向の位置関係を概略的に決定する働きを有する。
【００４７】
このほか、本例の扶壁32は、内側面後縁に沿って上下方向に４個のスライド板固定ボルト用インサート323を並べて埋め込んでいる。スライド板固定ボルト用インサート323は、それぞれにスライド板固定ボルト62を捩じ込み、前記スライド板固定ボルト62を２個一組としてスライド板６を取り付ける。スライド板６は、扶壁32の後縁からの突出量を調整することにより、前記扶壁32の後縁と現状岸壁７との隙間を塞ぎ、打設するコンクリート74を左右方向に漏れにくくする。
【００４８】
本例の残存型枠１,２,３は、図８及び図９に見られるように、左右一対で単位壁面Ｃを構成し、前記単位壁面Ｃを上下方向に積層していく。残存型枠１,２,３は、それぞれ設置ガイド５及び吊り金具76を取り付け、前記吊り金具76にクレーンフック77を掛けて吊り下げて移動させ、設置面71の上に最下段の残存型枠３を載せ、下層段の残存型枠１,３に取り付けた設置ガイド５に沿って上層段の残存型枠１,２積層していき、積層を終えた残存型枠１,３から順次設置ガイド５及び吊り金具76を取り外す。そして、積層を終えた残存型枠１,２,３から順にスライド板６を取り付けていく。
【００４９】
設置ガイド５は、例えば下層段である下中段の残存型枠１に対して上層段である上中段の残存型枠１が後方へずれ落ちないように、前記残存型枠１同士の主壁11を面一に揃えることができれば、どのような部材構成又は構造でもよい。本例の設置ガイド５は、図10に見られるように、断面コ字状のチャンネル部材であり、ウェブの一端側に寄って設けたボルト孔に設置ガイド固定ボルト51を挿通し、残存型枠１の設置ガイド固定ボルト用インサート113に前記設置ガイド固定ボルト51を螺着することにより、主壁11に対して着脱自在に取り付ける。
【００５０】
スライド板６は、残存型枠１,２,３の扶壁12,22,32の後端と現状岸壁７（後掲図16参照）との隙間を埋める前記扶壁12,22,32の延長部材である。本例のスライド板６は、図11に見られるように、前記扶壁12,22,32の突出方向に延びる上下２条の位置調整溝61を設けた金属製の本体板と、前記本体板の上縁及び下縁に取り付ける金属製の補強アングル64とから構成され、上縁に取り付けた補強アングル64に、棒鋼を平面視コ字状に折り曲げて形成される把っ手63を設けている。補強アングル64は、本体板の剛性を高め、打設するコンクリート74（後掲図16参照）に押されて本体板が曲がらないようにする。把っ手63は、作業者がスライド板６を持ち運ぶ際に用いる。
【００５１】
スライド板６に設けた位置調整溝61は、上向きの切欠を、前後端を含めて延在方向に等間隔で６ヶ所設けている。扶壁12,22,32のスライド板固定ボルト用インサート124,224,324に捩じ込むスライド板固定ボルト62は、前記位置調整溝61を挿通させ、いずれかの切欠を選択して掛合させ、扶壁12,22,32に対する位置を特定する。これにより、スライド板６は、選択した切欠に依って扶壁12,22,32の後縁からの突出量を６段階で調整できる。また、扶壁12,22,32の後縁から突出させたスライド板６は、切欠にスライド板固定ボルト62を掛合させる限り、前記扶壁12,22,32の後縁からの突出量を安定して維持できる。
【００５２】
本例の場合、下中段の残存型枠１は最下段の残存型枠３に対し、上中段の残存型枠１は前記下中段の残存型枠１に対し、そして最上段の残存型枠２は前記上中段の残存型枠１に対してそれぞれ前後方向又は左右方向の姿勢（傾き）を調整できる。例えば、最下段残存型枠３に対して前方向へ傾いた下中段の残存型枠１に対して上中段の残存型枠１が左方向へ傾けば、前記上中段の残存型枠１は、最下段の残存型枠３に対して前方向及び左方向へ傾くことになる。こうして、本発明を適用して構築するコンクリート岸壁は、個々に姿勢を調整した残存型枠１,２,３全体で、前記コンクリート岸壁の前面を整える。
【００５３】
姿勢の調整について、上中段及び下中段の残存型枠１,１を挙げて説明する。上中段の残存型枠１は、下中段の残存型枠１の主壁11の上面から突出する左右一対の高さ調整ボルト４,４と、扶壁12の上面から突出する高さ調整ボルト４とに下面を当接させる。これにより、上中段の残存型枠１は、下中段の残存型枠１に対して３つの高さ調整ボルト４,４,４により三点支持される。主壁11の上面から突出する高さ調整ボルト４,４を共に縮めて前方の凸段差111より低くした場合、前記高さ調整ボルト４,４に代わり、前記凸段差111が上中段の残存型枠１の凹段差112に当接する。
【００５４】
このとき、主壁11に設けた左右一対の高さ調整ボルト４,４が左右に離れ、かつ扶壁12に設けた高さ調整ボルト４が前記主壁11の高さ調整ボルト４,４から後方に離れていれば、上中段の残存型枠１の重心は、高さ調整ボルト４,４,４に囲まれた仮想的な三角形の範囲に収まり、上中段の残存型枠１の傾きが大きくない限り、前記上中段の残存型枠１が高さ調整ボルト４,４,４からずり落ちる心配はない。実際には、設置を終えた残存型枠１の姿勢を固定するため、現状岸壁７から突出させたアンカー72とジベル筋115とを連結筋73により連結することから、上中段の残存型枠１は前記連結完了まで高さ調整ボルト４,４,４からずり落ちなければよい。
【００５５】
主壁11に設けた高さ調整ボルト４,４に代わって上中段の残存型枠１の凹段差112を下中段の残存型枠１の凸段差111に当接させた場合も同様で、扶壁12に設けた高さ調整ボルト４が前記凸段差111から後方に離れていれば、上中段の残存型枠１の重心は、凸段差111及び高さ調整ボルト４に囲まれた仮想的な三角形の範囲に収まり、上中段の残存型枠１の傾きが大きくない限り、前記上中段の残存型枠１が凸段差111及び高さ調整ボルト４からずり落ちる心配はない。この場合も、現状岸壁７から突出させたアンカー72とジベル筋115とを連結筋73により連結し、上中段の残存型枠１の姿勢を固定する。
【００５６】
上中段の残存型枠１は、図12に見られるように、下中段の残存型枠１の主壁11に設けた右（図12中左）の高さ調整ボルト４の突出量が、前記主壁11に設けた左（図12中右）の高さ調整ボルト４及び扶壁12に設けた高さ調整ボルト４の突出量より大きければ、左方に下り勾配となるように傾く（図12は後面側から見ているため、左右が逆）。図示を省略するが、上中段の残存型枠１は、下中段の残存型枠１の主壁11に設けた右（図12中左）の高さ調整ボルト４の突出量が、前記主壁11に設けた左（図12中右）の高さ調整ボルト４及び扶壁12に設けた高さ調整ボルト４の突出量より小さければ、前述と逆に、右方に下り勾配となるように傾く。
【００５７】
高さ調整ボルト４は、高さ調整ボルト用インサート114（124）に捩じ込めば突出量が小さくなる（図14）。高さ調整ボルト４の突出量が凸段差111の高さより低くなると、上中段の残存型枠１の下面は高さ調整ボルト４から離れ、凹段差112を下中段の残存型枠１の凸段差111に当接させる。また、逆に高さ調整ボルト用インサート114（124）から緩めれば突出量が大きくなる（図15）。高さ調整ボルト４の突出量は、下中段の残存型枠１に上中段の残存型枠１を積層する前に調整しておく。
【００５８】
上中段の残存型枠１の左右方向の姿勢は、下中段の残存型枠１の主壁11に設けた右の高さ調整ボルト４の突出量と、前記主壁11に設けた左の高さ調整ボルト４及び扶壁12に設けた高さ調整ボルト４の突出量との相対的な差により決定される。例えば主壁11に設けた左の高さ調整ボルト４及び扶壁12に設けた高さ調整ボルト４を突出させても、主壁11に設けた右の高さ調整ボルト４をより突出させれば、上中段の残存型枠１は、左方に下り勾配に傾く。主壁11に設けた左の高さ調整ボルト４及び扶壁12に設けた高さ調整ボルト４の突出量が凸段差111より低くなると、上中段の残存型枠１は、下中段の残存型枠１の右の高さ調整ボルト４と凸段差111の左方とにより支持され、左方に下り勾配に傾く。
【００５９】
また、上中段の残存型枠１は、図13に見られるように、下中段の残存型枠１の主壁11に設けた左右一対の高さ調整ボルト４,４の突出量より、下中段の残存型枠１の扶壁12に設けた高さ調整ボルト４の突出量を大きくすれば、前方に下り勾配に傾く。図示を省略するが、上中段の残存型枠１は、下中段の残存型枠１の主壁11に設けた左右一対の高さ調整ボルト４,４の突出量より、下中段の残存型枠１の扶壁12に設けた高さ調整ボルト４の突出量を小さくすれば、後方に下り勾配に傾く。高さ調整ボルト４の突出量は、下中段の残存型枠１に上中段の残存型枠１を積層する前に調整しておく。
【００６０】
上中段の残存型枠１の前後方向の姿勢は、下中段の残存型枠１の主壁11に設けた左右一対の高さ調整ボルト４,４の突出量と、下中段の残存型枠１の扶壁12に設けた高さ調整ボルト４の突出量との相対的な差により決定される。例えば主壁11に設けた左右一対の高さ調整ボルト４,４を突出させても、扶壁12に設けた高さ調整ボルト４をより突出させれば、上中段の残存型枠１は、前方に下り勾配に傾く。主壁11に設けた高さ調整ボルト４,４の突出量が凸段差111より低くなると、上中段の残存型枠１は、下中段の残存型枠１の凸段差111と扶壁12に設けた高さ調整ボルト４とにより支持され、前方に下り勾配に傾く。
【００６１】
このように上中段の残存型枠１を傾けて下中段の残存型枠１に積層する際、下中段の残存型枠１に設置ガイド５を取り付けておくと、前記設置ガイド５に添わせた上中段の残存型枠１が後方（図12中紙面手前）へ逸脱することを防止できる。また、下中段の残存型枠１に設けた連結ピン121を上中段の残存型枠１の連結穴に差し込むことにより、上中段の残存型枠１がどのように傾いていても、下中段の残存型枠１に対する位置関係を特定できるため、上中段の残存型枠１を下中段の残存型枠１に積層する際、前記設置ガイド５から上中段の残存型枠１が逸脱することも抑制又は防止できる。
【００６２】
コンクリート岸壁の構築は、次の通りである。まず、図16に見られるように、現況岸壁７の前方で整えられた設置面71の上に最下段の残存型枠３を載置した後、上述のように姿勢を調整しながら中段の残存型枠１,１、そして最上段の残存型枠２を積層していく。設置面71は、本例のように砕石を並べただけの構成のほか、コンクリートを打設して平坦面として構成される場合もある。いずれの場合も、最下段の残存型枠３と設置面71との間は、前記残存型枠３に取り付けられて後方に向けて展開した漏れ出しシート33により塞がれる（図８参照）ため、打設されるコンクリート74が漏れ出す虞がない。
【００６３】
残存型枠１,２,３は、現況岸壁７から突出させたアンカー72とそれぞれのジベル筋115,215,315とを、連結筋73を介して接続し、調整された姿勢を保持する。アンカー72、ジベル筋115,215,315及び連結筋73は、いずれも金属製であるから、相互の連結は溶接による。また、下層段（最下段、下中段又は上中段）の残存型枠１,３は、上層段（下中段、上中段又は最上段）の残存型枠１,２を積層する際、連結穴122,222及び連結ピン121,321を嵌合させ、主壁11,31の後面に取り付けた設置ガイド５を主壁11,21に添わせることにより、上層段の残存型枠１,２の後方脱落を防止する。設置ガイド５及び吊り金具76は、上層段の残存型枠１,２を積層し、アンカー73に接続すれば、取り外す。
【００６４】
アンカー73に接続して姿勢が保持された残存型枠１,２,３は、それぞれの扶壁12,22,32の内側面（図17中上側）又は外側面（図17中下側）に、突出量を調整しながらスライド板６を取り付ける。本例のスライド板６は、側面視長方形であるため、扶壁12,22,32の後端と現況岸壁７との隙間を完全に塞ぐものではないが、スライド板６の後縁に合わせて現況岸壁７を整形できるため、前記隙間をほとんど塞ぐことができる（図16参照）。また、現況岸壁７の断面形状が予め詳細に分かっていれば、スライド板６の後縁を前記断面形状の転写形状にして、隙間をほとんど塞ぐようにすることもできる。
【００６５】
残存型枠１,２,３が隣り合う場合、目地材78を介して並ぶ扶壁12,22,32の何れか一方の内側面にスライド板６を取り付ける。スライド板６を取り付けた残存型枠１,２,３は、前記スライド板６までの範囲にコンクリート74が打設される。スライド板６が取り付けられない残存型枠１,２,３は、並ぶ扶壁12,22,32に取り付けられたスライド板６までコンクリート74が回り込み、扶壁12,22,32を跨いで打設する。残存型枠１,２,３が端の場合、扶壁12,22,32の外側面にスライド板６を取り付け、打設したコンクリート74の固化後、適宜スライド板６を回収するとよい。
【００６６】
残存型枠１,２,３は、図17に見られるように、左右一対で平面視コ字状の単位壁面Ｃを構成し、前記単位壁面Ｃの開いた後方を現況岸壁７で塞いで、略閉鎖空間Cを構成する。コンクリート74は、図18に見られるように、前記略閉鎖空間Cに打設される。このとき、アンカー72、ジベル筋115,215,315及び連結筋73はもちろん、それぞれの扶壁12,22,32の内側面に取り付けられたスライド板６（図17中上側）もコンクリート74に埋め殺しされる。スライド板６は、それぞれの扶壁12,22,32の外側面に取り付けられた場合、打設したコンクリート74が固化した後、取り外して再利用してもよい。
【００６７】
打設するコンクリート74は、漏れ出し防止シート33により、最下段の残存型枠３と設置面71との隙間からの漏れ出しが防止される。また、打設するコンクリート74は、凸段差111,311と凹段差112,212とを密着又は両者の隙間を蛇行させることにより、残存型枠１,２,３間から前方への漏れ出しが防止される。そして、コンクリート74は、通常粘性の高いものが使用されるため、扶壁12,22,32の後端と現況岸壁７との間をスライド板６で塞ぐことにより、積層された残存型枠１,２,３から左右方向への漏れ出しが抑制される（漏れ出しが少なくなる）。こうして、コンクリート74は、残存型枠１,２,３と現況岸壁７とに囲まれた略閉鎖空間Cに打設される。
【００６８】
残存型枠１,２,３が構成する単位壁面Ｃは、対向する扶壁12,22,32間に目地材78を挟んで並べていく（本例は、図17中上方に向けて並べていく）。そして、コンクリート74が打設された単位壁面Ｃの上にコンクリート製の天端工部75を設置すれば、図18に見られるように、コンクリート岸壁の構築が完了する。単位岸壁を構成する左右一対の残存型枠１,２,３は、それぞれ誘発目地117,217,317があり、隣り合う単位岸壁の対向する扶壁12,22,32間に目地材78を介装している。このため、本例のコンクリート岸壁は、外部から衝撃を受けた残存型枠１,２,３のみが破損し、しかも前記破損範囲を誘発目地117,217,317と目地材78との間に留めることができる。
【符号の説明】
【００６９】
１  中段の残存型枠
11  主壁
111  凸段差
112  凹段差
115  ジベル筋
12  扶壁
121  連結ピン
122  連結穴
２  最上段の残存型枠
21  主壁
212  凹段差
215  ジベル筋
22  扶壁
222  連結穴
３  最下段の残存型枠
31  主壁
311  凸段差
315  ジベル筋
32  扶壁
321  連結ピン
33  漏れ出し防止シート
４  高さ調整ボルト
５  設置ガイド
51  設置ガイド固定ボルト
６  スライド板
61  位置調整溝
７  現況岸壁
71  設置面
72  アンカー
73  連結筋
74  打設されたコンクリート
76  吊り金具
【図１】
2015169013.tif 000003
【図２】
2015169013.tif 000004
【図３】
2015169013.tif 000005
【図４】
2015169013.tif 000006
【図５】
2015169013.tif 000007
【図６】
2015169013.tif 000008
【図７】
2015169013.tif 000009
【図８】
2015169013.tif 000010
【図９】
2015169013.tif 000011
【図１０】
2015169013.tif 000012
【図１１】
2015169013.tif 000013
【図１２】
2015169013.tif 000014
【図１３】
2015169013.tif 000015
【図１４】
2015169013.tif 000016
【図１５】
2015169013.tif 000017
【図１６】
2015169013.tif 000018
【図１７】
2015169013.tif 000019
【図１８】
2015169013.tif 000020